(57)【要約】  支持体１１と、光を放つように適合された複数の発光要素１２とを有する照明デバイス１０。各発光要素１２は、支持体１１に固定され、且つ所定の光軸Ｂに放射状である発光方向Ａを有する。照明デバイス１０は、発光要素１２に面する反射面１３であって、使用時に発光要素１２により放たれる光を光軸Ｂに平行な方向に反射するように構成された反射面１３を備える。
2017500700.tif 000002
【特許請求の範囲】
【請求項１】
眼底カメラのための照明デバイス（１０）であって、支持体（１１）と、光を放つように適合された複数の発光要素（１２）とを有し、各発光要素は、発光方向（Ａ）を有し且つ前記支持体（１１）に固定されている、照明デバイス（１０）において、
前記発光要素（１２）の各発光方向（Ａ）が所定の光軸（Ｂ）に対して放射状であり、前記照明デバイス（１０）が、前記発光要素（１２）に面する反射面（１３）を備え、前記反射面（１３）は、使用時に前記発光要素（１２）により放たれる光を前記光軸（Ｂ）と平行な方向に反射するように構成され、また前記照明デバイス（１０）が光ガイド（１７）を有し、前記光ガイド（１７）は、
前記光軸（Ｂ）に対して環状であり且つ前記発光要素（１２）に面する入力表面（１７ａ）と、
前記光軸（Ｂ）に対して環状であり且つ光を前記光軸（Ｂ）に平行に方向付けるように構成された放出表面（１７ｂ）と、
円錐台形であり且つ前記光軸（Ｂ）に対して環状である内壁（１７ｃ）であって、前記反射面（１３）を画定している内壁（１７ｃ）と
を有することを特徴とする、照明デバイス（１０）。
【請求項２】
前記発光要素（１２）の正面に配置された視準手段であって、使用時に前記発光要素（１２）の各々により放たれる光を前記発光方向（Ａ）に平行にするように構成された視準手段を有することを特徴とする、請求項１に記載の照明デバイス（１０）。
【請求項３】
前記視準手段が、
球面凸状プロファイル、
非球面凸状プロファイル、
フレネル・レンズを構成する環状セクションを備えるプロファイル
の中から選択されるプロファイルを備えるレンズ（１５）を有することを特徴とする、請求項２に記載の照明デバイス（１０）。
【請求項４】
前記視準手段が、使用時に前記発光手段（１２）により放たれる光による軌道路に沿って、前記発光手段（１２）と前記反射面（１３）との間に配置されるレンズ（１５）を有し、それにより光を平行にすることを特徴とする、請求項２に記載の照明デバイス（１０）。
【請求項５】
前記レンズ（１５）が、前記支持体（１１）又は前記発光要素（１２）に固定されることを特徴とする、請求項４に記載の照明デバイス（１０）。
【請求項６】
前記反射面（１３）を画定し且つ前記光軸（Ｂ）に対して同軸である円錐台形のミラーを有することを特徴とする、請求項１から５までのいずれか一項に記載の照明デバイス（１０）。
【請求項７】
前記視準手段が、前記光ガイド（１７）と一体のレンズ（１５）を有することを特徴とする、請求項１から６までのいずれか一項に記載の照明デバイス（１０）。
【請求項８】
前記入力表面（１７ａ）が、前記レンズ（１５）を形成する突出部を備えることを特徴とする、請求項７に記載の照明デバイス（１０）。
【請求項９】
前記発光要素（１２）及び前記反射面（１３）は、使用時に前記発光要素（１２）により放たれる光が前記反射面（１３）上のみで１回のみ反射するように構成されていることを特徴とする、請求項１から８までのいずれか一項に記載の照明デバイス（１０）。
【発明の詳細な説明】
【技術分野】
【０００１】
本発明は照明デバイスに関する。
【０００２】
詳細には、本発明は、管状の光ビーム（ｔｕｂｕｌａｒ  ｌｉｇｈｔ  ｂｅａｍ）を放つように構成された照明デバイスに関する。
【０００３】
本発明の照明デバイスは、眼底カメラの光学系の光軸に同軸である、環状セクションを有する管状の光ビームを発生するように特に適合されている。
【背景技術】
【０００４】
従来の眼底カメラは、画像取得デバイスとレンズの光学系とを有し、レンズの光学系は、網膜の照明のために光ビームを平行にするように適合され、また照明された網膜の画像の焦点を取得デバイス上に合わせるように状況に合わせて適合されている。
【０００５】
現在、眼底カメラのレンズの光軸に垂直で平坦な支持体であって、同じ光軸が通過する孔を備える支持体を有する照明デバイスが知られている。
【０００６】
支持体上には複数のＬＥＤが設けられ、これらのＬＥＤは、光軸と同軸で第１の直径を有する第１のリングに沿って配置された、それと同数の発光点を画定する。
【０００７】
そのようなＬＥＤは、支持体に統合された供給電子回路（ｓｕｐｐｌｙ  ｅｌｅｃｔｒｏｎｉｃ  ｃｉｒｃｕｉｔ）に電気的に接続され、そして支持体に垂直な平均方向の光ビームを放つように配置される。
【０００８】
ＬＥＤには透明な視準要素（ｃｏｌｌｉｍａｔｉｏｎ  ｅｌｅｍｅｎｔ）が重ね合わされる。視準要素は、支持体に面し且つＬＥＤに重ね合わされる入力環状フェースと、やはり環状であり且つ光軸と同軸で第１の直径より小さい第２の直径を有する放出フェースとを有する光ガイドによって構成される。
【０００９】
入力フェースは、放出フェースを通して放たれる光の発光方向に平行な入力方向に従ってＬＥＤの光を受ける。
【００１０】
内部的には、視準要素は、光軸と同軸である円錐台形の２つの反射面を形成している。
【００１１】
これら２つの反射面は、入力フェースからくる光を出力フェースの方に反射するように配置される。
【先行技術文献】
【特許文献】
【００１２】
【特許文献１】米国特許出願公開第２０１３／８３１８４号明細書
【発明の概要】
【発明が解決しようとする課題】
【００１３】
本発明の根底にある課題は、上で説明した従来の照明デバイスを改善することである。
【００１４】
本発明の主要なタスクは、このような問題を解決する照明デバイスを実現することである。
【００１５】
このようなタスクの枠組みにおいて、本発明の目的は、上で説明した照明デバイスより構造的に単純な照明デバイスを提案することである。
【００１６】
本発明の別の目的は、説明した従来の照明デバイスより高い光学効率を有するようになる照明デバイスを実現することである。
【００１７】
本発明の別の目的は、上で説明した従来の照明デバイスに対する技術的代替手段を提供するような照明デバイスを提案することである。
【課題を解決するための手段】
【００１８】
このタスク、さらには、以下でよりよく示されるこれらの目的及び他の目的は、添付の請求項１による照明デバイスによって達成される。
【００１９】
本発明による照明デバイスの詳細な特徴がその従属請求項内で与えられる。
【００２０】
本発明の別の特徴及び利点が、本発明による照明デバイスの排他的ではない好適な実施例の説明からより明らかとなり、これは、限定しないが添付の図面を示すことにより例示される。
【図面の簡単な説明】
【００２１】
【図１】本発明による照明デバイスを示す正面図である。
【図２】図１の平面ＩＩ−ＩＩに一致する、本発明による照明デバイスを示す断面図である。
【発明を実施するための形態】
【００２２】
言及した図を特に参照すると、支持体１１と、支持体１１に固定され且つ光を放つように適合された複数の発光要素１２とを有する照明デバイスの全体が１０で示される。
【００２３】
各発光要素１２は発光方向Ａを有し、この発光方向Ａは、使用時に発光要素１２により照射される光ビームの中央方向（ｍｅｄｉａｎ  ｄｉｒｅｃｔｉｏｎ）に好適には存在する。
【００２４】
有利には、発光要素１２はＬＥＤを有し、好適には、可視光放射を放つように適合された第１のＬＥＤと、赤外線放射を放つように適合された第２のＬＥＤとを有する。
【００２５】
したがって本発明によれば、照明デバイスが独自性を有することが、所定の光軸Ｂに対して各発光方向Ａが放射状である点、及び照明デバイス１０が、発光要素１２に面する反射面１３であって、使用時に発光要素１２により放たれる光を光軸Ｂと平行な方向に反射するように構成された反射面１３を備える点に現れている。
【００２６】
有利には、照明デバイス１０が眼底カメラに対して取り付けたれたとき、光軸Ｂは眼底カメラの光学系の光軸に一致する。
【００２７】
好適には、支持体１１は、光に対して透過性である中央部分１１ａを有する。
【００２８】
この中央部分１１ａは支持体１１内にある貫通孔又は支持体１１自体の透明な部分であってよい。
【００２９】
光軸Ｂは有利には上記中央部分１１ａに入射する。
【００３０】
好適には、支持体１１は、光軸Ｂに関して円周方向に延び且つ支持体１１から突出する環状カラー１１ｂを有する。
【００３１】
発光要素１２は、有利には、それぞれの発光方向が相互に同一面上にあるように環状カラー１１ｂ上に固定される。
【００３２】
本発明の代替的実施例では、図示されないが、発光要素１２は、カラー１１ｂの代わりに、それぞれの発光方向が相互に同一面上にあるように支持体１１に固定される側方発光ＬＥＤ（ｌａｔｅｒａｌ  ｅｍｉｓｓｉｏｎ  ＬＥＤ）を有する。
【００３３】
好適には、照明デバイス１０は、発光要素１２の正面に配置された視準手段（コリメータ手段）であって、使用時に発光要素１２の各々により放たれる光を発光方向Ａに平行にするように構成された視準手段を有する。
【００３４】
視準手段は、有利には：
球面凸状プロファイル；
非球面凸状プロファイル；
フレネル・レンズを構成する環状セクションを備えるプロファイル
の中から選択されるプロファイルを有するレンズ１５を有する。
【００３５】
視準手段は、有利には、各発光要素１２により放たれる光を発光方向Ａに平行にするように発光要素１２上に固定されるレンズ１５を有する。
【００３６】
本発明の変形形態では、図示しないが、視準手段は有利には上記支持体に対して固定されており、また好適には、使用時に発光要素により放たれる光の軌道に沿って、発光要素と反射面との間に配置されるレンズを有する。
【００３７】
図１及び２で非包括的な例として与えられる本発明の実施例では、照明デバイス１０は光ガイド１７を有する。
【００３８】
光ガイド１７及び発光要素１２は、使用時に発光要素１２により放たれる光を好適には光ガイド１７が反射及び運搬して光の管状ビームを形成するように、相互に構成及び配置される。
【００３９】
均質な管状光ビームを得るために、照明デバイス１０はそれゆえ光ガイド１７を有し、この光ガイド１７は：
光軸Ｂに対して環状であり且つ発光要素１２に面する入力表面１７ａと、
光軸Ｂに対して環状であり、且つ光軸Ｂに平行な光を処理（ａｄｄｒｅｓｓ）するように構成された放出表面１７ｂと、
光軸Ｂに対して環状であり且つ反射面１３を画定する円錐台形内壁１７ｃと
を有する。
【００４０】
実際、この特定の構造の光ガイド１７は、例えば光ガイドから出る光放射の減衰を生じさせるような発光要素１２のうちの１つの不具合を他の発光要素の発光によって補償するように、発光要素１２によって放たれた光放射を混合したものを得ることを可能にする（これは、停止した発光要素に線形的に対応する領域に一致して最大でわずかに強い）。
【００４１】
実用上では、本発明によるデバイスは、従来のデバイスとは異なり、１つ又は複数の発光要素が故障した場合でも機能することができる。
【００４２】
実際、米国特許出願公開第２０１３／８３１８４号明細書に記載されたような従来のデバイスでは、発光要素が故障すると、停止したその発光要素の分に応じて照明が有意に不足して照明が不完全で非一様となる。
【００４３】
照明及びエネルギー効率を向上するために、有利には、光ガイド１７を基準とした照明デバイス１０の位置及び光ガイド１７の構造は、使用時に入力表面１７ａを通って光ガイド１７内を貫通する入力光が光ガイド１７自体の壁によって完全に反射されて放出表面１７ｂのみを通って光ガイド１７から出るように選択される：。
【００４４】
具体的には、少なくとも内壁１７ｃに対応する光ガイド１７の壁は、好適には金属化される。
【００４５】
有利には、放出表面１７ｂは、光ガイド１７から出る光ビームが所定の形状及び向きを有するように構成される。
【００４６】
好適には、放出表面１７ｂは凹形又は凸形でり、或いは多面形である。
【００４７】
視準手段は、有利には、光ガイド１７と一体であり、また好適には入力表面１７ａから延びる突出部によって画定されるレンズ１５を有する。
【００４８】
一般に、本発明によれば、発光要素１２及び反射面１３は、使用時に発光要素１２により放たれる光が実質的に１回のみ反射面１３上のみで反射されるように構成される。
【００４９】
光ガイド１７が設けられた場合に、光が、発光方向Ａ又は光軸Ｂに平行な内壁によってもわずかに反射されることは明らかである。
【００５０】
それゆえ本発明による照明デバイスが上で説明した従来の照明デバイスより構造的に単純であることは明らかである。
【００５１】
さらに、本発明による照明デバイスは、従来の照明デバイスより単純な光路を有することで、上で説明した従来の照明デバイスより高い光学効率を有するようになる。
【００５２】
本発明による照明デバイスはまた、従来の照明デバイスに対して、構造的により単純で有効な技術的代替手段を構成する。
【００５３】
眼底カメラの分野での適用を特に参照して説明してきたが、一般に本発明の照明デバイスが、特に所定の光軸に同軸の管状の照明ビームを発生させるために種々の適用分野で使用され得ることに留意されたい。
【００５４】
このように構想される本発明は多くの修正形態及び変形形態を受け入れることができ、これらのすべてが添付の特許請求の範囲の保護範囲内にある。
【００５５】
また、すべての細部が他の技術的に均等な要素に置換され得る。
【００５６】
実際には、使用される材料、さらには形態及び不確定の寸法（ｃｏｎｔｉｎｇｅｎｔ  ｄｉｍｅｎｓｉｏｎ）が、不測の要求（ｃｏｎｔｉｎｇｅｎｔ  ｎｅｅｄ）及び現況技術に応じて変化し得る。
【００５７】
以下の特許請求の範囲で言及される構造的特徴及び技術が参照記号及び参照符号を伴う場合、このような参照記号又は参照符号はその請求項の理解度を上げることのみを目的として配置されたものであり、したがってこのような参照記号又は参照符号は、これらの参照記号又は参照符号によって単に例として示される各要素の解釈を一切限定しない。
【図１】
2017500700.tif 000003
【図２】
2017500700.tif 000004
【国際調査報告】
2017500700.tif 000005
2017500700.tif 000006